(57)【要約】【課題】炊飯物を容易に持ち運ぶことのできる電気炊飯器を得る。【解決手段】内釜２５を収納する本体部２１、内釜２５を加熱する誘導加熱コイル２６、及び誘導加熱コイル２６に供給する電力を外部から受電する加熱用受電コイル２７を有する炊飯ユニット２０と、炊飯ユニット２０の上面の開口を開閉自在に覆う蓋ユニット１０と、加熱用受電コイル２７に電力供給する加熱用給電コイル３４、及び加熱用給電コイル３４が供給する電力を制御する制御部３３を有する電源ユニット３０とを備え、炊飯ユニット２０は、電源ユニット３０の上に着脱自在に装着され、電源ユニット３０の上に装着された状態で加熱用受電コイル２７が電源ユニット３０の加熱用給電コイル３４から電力供給を受け、蓋ユニット１０は、当該蓋ユニット１０を炊飯ユニット２０に対して周方向に相対的に回転させることで炊飯ユニット２０に対して着脱される。【選択図】図２
2014033904.tif 000002
【特許請求の範囲】
【請求項１】
上面を開口し内部に内釜を収納する本体部、電力供給を受けて前記内釜を加熱する加熱部、及び前記加熱部に供給する電力を外部から受電する受電部を有する炊飯ユニットと、
前記炊飯ユニットの上面の開口を開閉自在に覆う蓋ユニットと、
前記受電部に電力供給する給電部、及び前記給電部が供給する電力を制御する制御部を有する電源ユニットとを備え、
前記炊飯ユニットは、前記電源ユニットの上に着脱自在に装着され、前記電源ユニットの上に装着された状態で前記受電部が前記電源ユニットの前記給電部から電力供給を受け、
前記蓋ユニットは、当該蓋ユニットを前記炊飯ユニットに対して周方向に相対的に回転させることで、前記炊飯ユニットに対して着脱される
ことを特徴とする電気炊飯器。
【請求項２】
前記炊飯ユニットの上面には、径方向外側又は内側に向かって延びる先端部を有する複数の係止爪が、周方向に沿って設けられ、
前記蓋ユニットの下面には、前記係止爪と前記炊飯ユニットの上面との間に係合される複数の係合部が、周方向に沿って設けられており、
前記蓋ユニットを前記炊飯ユニットから離脱する方向に回転させると、前記係合部が前記係止爪と前記炊飯ユニットの上面との間から外れる
ことを特徴とする請求項１記載の電気炊飯器。
【請求項３】
前記係止爪は、上下方向に弾性変形可能であり、
前記蓋ユニットが前記炊飯ユニットの上面に上から押し付けられると、前記係合部が前記係止爪を乗り越えて前記係止爪と前記炊飯ユニットの上面との間に係合される
ことを特徴とする請求項２記載の電気炊飯器。
【請求項４】
前記蓋ユニットを、前記炊飯ユニットに対して周方向に１０°〜６０°回転させることで、前記蓋ユニットが前記炊飯ユニットから取り外される
ことを特徴とする請求項１〜請求項３のいずれか一項に記載の電気炊飯器。
【請求項５】
上面を開口し内部に内釜を収納する本体部、電力供給を受けて前記内釜を加熱する加熱部、及び前記加熱部に供給する電力を外部から受電する受電部を備えた炊飯ユニットと、
前記炊飯ユニットの上面の開口を開閉自在に覆う蓋ユニットと、
前記受電部に電力供給する給電部、及び前記給電部が供給する電力を制御する制御部を備えた電源ユニットとを備え、
前記炊飯ユニットは、前記電源ユニットの上に着脱自在に装着され、前記電源ユニットの上に装着された状態で前記受電部が前記電源ユニットの前記給電部から電力供給を受け、
前記蓋ユニットは、前記本体部の対向する側面に設けられた一対の蓋支持部によって前記炊飯ユニットに取り付けられており、
前記蓋支持部は、
前記本体部の側面に設けられた回動軸と、
一端が前記蓋ユニットに取り付けられ、他端が前記回動軸に軸支されたアームとを備え、
前記回動軸を中心に前記アームが回動することで、前記アームに取り付けられた前記蓋ユニットが前記本体部の上面の開口を開閉する
ことを特徴とする電気炊飯器。
【請求項６】
前記炊飯ユニット又は前記電源ユニットは、全開状態の前記蓋ユニットの下方に設けられ、前記蓋ユニットから滴下する露を受ける露受部を備えた
ことを特徴とする請求項５記載の電気炊飯器。
【請求項７】
前記露受部は、前記炊飯ユニット又は前記電源ユニットに、突出自在に収容される
ことを特徴とする請求項６記載の電気炊飯器。
【請求項８】
前記アームの回動動作に伴って回転する第一歯車と、
前記第一歯車と歯合して前記第一歯車と反対方向に回転する第二歯車と、
前記第二歯車の回転動作を直線動作として前記露受部に伝達するラックとを備え、
前記蓋ユニットの開放動作と連動して前記露受部が突出する
ことを特徴とする請求項７記載の電気炊飯器。
【請求項９】
前記蓋ユニット、前記炊飯ユニット、及び前記電源ユニットが一体化された状態において、前記蓋ユニット、前記炊飯ユニット、及び前記電源ユニットの側面は同一面となる
ことを特徴とする請求項１〜請求項８のいずれか一項に記載の電気炊飯器。
【請求項１０】
前記炊飯ユニットは、蓋ユニット用第一給電コイルを備え、
前記蓋ユニットは、前記炊飯ユニットに取り付けられたときに前記蓋ユニット用第一給電コイルと対向する位置に、蓋ユニット用第一受電コイルを備えており、
前記蓋ユニット用第一受電コイルは、前記蓋ユニット用第一給電コイルから供給された電力を、前記蓋ユニットに設けられた電気負荷に供給する
ことを特徴とする請求項１〜請求項９のいずれか一項に記載の電気炊飯器。
【請求項１１】
前記電気負荷は、電気炊飯器の動作状態を表示する表示部と前記内釜を上方から加熱する蓋ヒーターのいずれか又は両方である
ことを特徴とする請求項１０記載の電気炊飯器。
【請求項１２】
前記電源ユニットは、前記制御部から電力を供給される蓋ユニット用第二給電コイルを備え、
前記炊飯ユニットは、前記電源ユニットに取り付けられたときに前記蓋ユニット用第二給電コイルと対向する位置に、蓋ユニット用第二受電コイルを備えており、
前記蓋ユニット用第二受電コイルは、前記蓋ユニット用第二給電コイルから供給された電力を、前記蓋ユニット用第一給電コイルに供給する
ことを特徴とする請求項１０又は請求項１１記載の電気炊飯器。
【発明の詳細な説明】
【技術分野】
【０００１】
本発明は、電気炊飯器に関する。
【背景技術】
【０００２】
従来の炊飯器として、本体内部に着脱自在に収容される内釜と、内釜の底部に設けられ内釜を加熱する加熱源と、加熱源を駆動制御する制御部と、本体の上面を開閉可能に覆う蓋体とを備えたものが知られている。このような炊飯器としては、誘導加熱コイルやマイコンにより通電制御されるヒーターを加熱源とする電気炊飯器や、ガスを加熱源とするガス炊飯器がある。
【０００３】
炊飯器の使用者は、台所に炊飯器を置いて炊飯を行い、炊飯が終わるとその炊飯器を台所から食卓等へ移動させて食事するという使い方をする場合がある。このように炊飯器を持ち運ぶ際の利便性を考慮したガス炊飯器として、ガスバーナーを有する下ケースと内釜を有する上ケースとが分離可能に構成され、上ケースだけを持ち運び可能にしたものが提案されている（例えば、特許文献１参照）。
【先行技術文献】
【特許文献】
【０００４】
【特許文献１】特開２００４−１４５５６２号公報（第３頁、図１）
【発明の概要】
【発明が解決しようとする課題】
【０００５】
しかしながら、上記特許文献１に記載のガス炊飯器は、ガス管を接続するための下ケースから上ケースを取り外して持ち運ぶことができるものの、この上ケースからは電源コードが突出しており、上ケースを持ち運ぶ際に取り扱いづらいという課題があった。
【０００６】
また、広く一般に使用されている電気炊飯器も、上述のように台所から食卓等へ持ち運びされる場合があるが、特許文献１には電気炊飯器については言及されておらず、電気炊飯器の持ち運びの際の利便性の向上が望まれていた。特に近年では、ご飯の炊き上がり状態の向上を目指して内釜の肉厚が増し、重量化している傾向があり、炊飯後の電気炊飯器も重量化している。したがって、炊飯後の電気炊飯器を容易に持ち運ぶことができるように軽量化することが望まれていた。また、電気炊飯器を持ち運ぶ際には電源コードをコンセントから抜く作業が煩わしいという課題もあった。
【０００７】
本発明は、上記のような課題を解決するためになされたものであり、炊飯物を容易に持ち運ぶことのできる電気炊飯器を提供するものである。
【課題を解決するための手段】
【０００８】
本発明に係る電気炊飯器は、上面を開口し内部に内釜を収納する本体部、電力供給を受けて前記内釜を加熱する加熱部、及び前記加熱部に供給する電力を外部から受電する受電部を有する炊飯ユニットと、前記炊飯ユニットの上面の開口を開閉自在に覆う蓋ユニットと、前記受電部に電力供給する給電部、及び前記給電部が供給する電力を制御する制御部を有する電源ユニットとを備え、前記炊飯ユニットは、前記電源ユニットの上に着脱自在に装着され、前記電源ユニットの上に装着された状態で前記受電部が前記電源ユニットの前記給電部から電力供給を受け、前記蓋ユニットは、当該蓋ユニットを前記炊飯ユニットに対して周方向に相対的に回転させることで、前記炊飯ユニットに対して着脱されるものである。
【発明の効果】
【０００９】
本発明によれば、炊飯ユニットと蓋ユニット、及び炊飯ユニットと電源ユニットは、それぞれ着脱自在に構成されているので、炊飯が終了すると電源ユニットから炊飯ユニットのみあるいは炊飯ユニットと蓋ユニットとを取り外すことで、炊飯物の入った内釜が収容された炊飯ユニットが軽量化され、使用者は炊飯物を容易に持ち運ぶことができる。
【００１０】
また、蓋ユニットを炊飯ユニットに対して周方向に相対的に回転させることで、蓋ユニットが炊飯ユニットに対して着脱されるようにしたので、蓋ユニットを上下方向に傾けることなく蓋ユニットを開けることができる。したがって、蓋ユニットに付着した露が周囲に落下するのを抑制することができる。また、蓋ユニットは炊飯ユニットに対して着脱可能であるので、蓋ユニットを炊飯ユニットから取り外すことで、使用者は蓋ユニットに付着した露の廃棄処理を容易に行うことができる。
【図面の簡単な説明】
【００１１】
【図１】実施の形態１に係る電気炊飯器の概観斜視図である。
【図２】実施の形態１に係る電気炊飯器の蓋の開閉動作を説明する概観斜視図である。
【図３】実施の形態１に係る電気炊飯器の蓋と炊飯ユニットとを分離した状態を説明する斜視図である。
【図４】実施の形態１に係る電気炊飯器の蓋ユニットと炊飯ユニットとの着脱構造を説明する図である。
【図５】実施の形態１に係る電気炊飯器の概略断面図である。
【図６】実施の形態１に係る電気炊飯器を分解した状態を示す概略斜視図である。
【図７】実施の形態１に係る電源ユニットのコードリール部を説明する図である。
【図８】実施の形態２に係る電気炊飯器の概観斜視図である。
【図９】実施の形態２に係る電気炊飯器の蓋ユニットの開閉動作を説明する概略側面図である。
【図１０】実施の形態２に係る電気炊飯器の露受部の可動構造の一例を説明する図である。
【図１１】実施の形態１、２に係る電気炊飯器の電源ユニットの変形例を示す概略断面図である。
【発明を実施するための形態】
【００１２】
以下、本発明に係る電気炊飯器の実施の形態を、図面を参照して説明する。なお、以下に示す図面の形態によって本発明が限定されるものではない。また、各図において、同一の構成には同一の符号を付している。また、以下の説明において、理解を容易にするために方向を表す用語（例えば「右」、「左」、「前」、「後」など）を適宜用いるが、これは説明のためのものであって、これらの用語は本願発明を限定するものではない。
【００１３】
実施の形態１．
図１は、実施の形態１に係る電気炊飯器の概観斜視図である。実施の形態１の電気炊飯器１００は、蓋ユニット１０と、蓋ユニット１０の下側に配置される炊飯ユニット２０と、炊飯ユニット２０の下側に配置される電源ユニット３０とを備える。蓋ユニット１０と炊飯ユニット２０とは着脱自在であり、また、炊飯ユニット２０と電源ユニット３０も着脱自在である。
【００１４】
蓋ユニット１０は、蓋ユニット１０の外郭を構成する蓋本体部１１と、蓋本体部１１の上面に設けられた表示部１２及び操作部１３と、蓋ユニット１０を炊飯ユニット２０に対して固定させる蓋ロック部１４とを備える。表示部１２は、電気炊飯器１００の動作状態や時刻等を表示するためのものであり、例えば液晶画面やＬＥＤ等、情報を視覚的に報知するための部材で構成される。操作部１３は、電気炊飯器１００の動作設定を行うための操作入力を受け付けるための入力装置であり、例えばシートスイッチやタッチパネル等で構成される。
【００１５】
炊飯ユニット２０は、炊飯ユニット２０の外郭を構成する本体部２１と、炊飯ユニット２０を電源ユニット３０に対して固定させる本体ロック部２２とを備える。
なお、本体ロック部２２の構成については後述する。
【００１６】
電源ユニット３０は、電源ユニット３０の外郭を構成する電源ユニット本体部３１と、電源ユニット３０内の制御部３３（後述する）に商用電源を供給するための電源コード３２とを備えている。
【００１７】
本実施の形態１の蓋ユニット１０、炊飯ユニット２０、及び電源ユニット３０は、それぞれ略直方体の外形を有している。また、蓋ユニット１０、炊飯ユニット２０、及び電源ユニット３０を一体化した図１に示す状態の電気炊飯器１００の外形も、略直方体（略箱型）である。そして、蓋ユニット１０、炊飯ユニット２０、及び電源ユニット３０を一体化した状態において、これらの４つの側面は、同一面になるように構成されている。ここで、同一面とは、完全に同一面であることを意味するものではなく、外観上あまり目立たない程度の段差がある場合を含むものとする。このように４つの側面を同一面とすることで、電気炊飯器１００を全体として見たときに外形がすっきりして見栄えがよく、また、表面の凹凸を少なくすることで埃等が溜まりにくくなる。なお、本実施の形態１では、隣接する側面により形成される角部を略直角としたデザインの電気炊飯器１００を例示したが、側面同士をつなぐ角部を丸めたデザイン、あるいはこの角部を面取りしたデザインとしてもよい。電気炊飯器１００の外形が「略直方体（略箱型）」であるというときには、このような角部を丸めたものや面取りしたものも含むものとする。
【００１８】
図２は、実施の形態１に係る電気炊飯器の蓋の開閉動作を説明する概観斜視図である。図２に示すように、本実施の形態１では、蓋ユニット１０と炊飯ユニット２０とを周方向に相対的に回転させることによって、蓋ユニット１０と炊飯ユニット２０とが着脱される。
【００１９】
図３は、実施の形態１に係る電気炊飯器の蓋と炊飯ユニットとを分離した状態を説明する斜視図である。なお、図３では蓋ユニット１０を裏返した状態（蓋ユニット１０の下面１１１を上に向けた状態）を示し、蓋ユニット１０の着脱に関連する構成を中心に示している。また図３では電源ユニット３０の図示を省略している。図３に示すように、炊飯ユニット２０の本体部２１の上面は開口しており、蓋ユニット１０は炊飯ユニット２０の上面の開口を開閉自在に覆う。
【００２０】
蓋本体部１１の下面１１１には、径方向内側に向かって略水平に突出する複数の係合部１５が、周方向に間隔を開けて設けられている。隣り合う係合部１５と係合部１５との間には、切欠部１６が設けられている。本実施の形態１では、４つの係合部１５及び切欠部１６が設けられている。係合部１５と蓋本体部１１の内面１１２との間には、所定高さの隙間１１３が形成されている。また、蓋本体部１１の内部には、炊飯ユニット２０内に収容される内釜内を上方から加熱するための蓋ヒーター１７が設けられている。
【００２１】
本体部２１の上面２１１には複数の係止爪２３が突設され、本体部２１内部の略中央には上面を開口し内釜を着脱自在に収容する内釜収容部２４が設けられている。複数の係止爪２３は、内釜収容部２４の開口縁から径方向外側に所定距離だけ離れた位置に、周方向に間隔をあけて設けられている。本実施の形態１の係止爪２３は、上面２１１から上方に向かって延び、その先端部が径方向外側に向かって突出する形状を有しており、断面は概ね鉤状（略Ｌ字形）である。係止爪２３は、蓋ユニット１０を炊飯ユニット２０に固定する際に係合部１５に係合される部材であり、係合部１５と同じ数（本実施の形態１では４つ）だけ設けられている。
【００２２】
図４は、実施の形態１に係る電気炊飯器の蓋ユニットと炊飯ユニットとの着脱構造を説明する図である。図４（ａ）は、係止爪２３と係合部１５の要部断面模式図であり、蓋ユニット１０が炊飯ユニット２０に取り付けられる前の状態を示している。また、図４（ｂ）は係止爪２３と係合部１５とが係合している状態を示し、図４（ｃ）は図４（ｂ）の係止爪２３と係合部１５とを周方向に相対的に回転させた状態を示している。図１、図２、図４を参照して蓋ユニット１０と炊飯ユニット２０の着脱に関する構成を説明する。
【００２３】
蓋ユニット１０を炊飯ユニット２０に対して固定する際には、使用者は、蓋ユニット１０と炊飯ユニット２０の向きを図１に示す向きに揃えた上で、蓋ユニット１０を炊飯ユニット２０に対して上から押し付ける。このようにすると、図４（ａ）に示すように、係合部１５が係止爪２３の上に押し当てられ、さらに力が加えられることで係合部１５が係止爪２３を乗り越え、図４（ｂ）に示すように係止爪２３と係合部１５とが上下方向に係合された状態となる。図４（ｂ）に示すように、係合部１５が係止爪２３と本体部２１の上面２１１との間に入り込み、係合部１５の上下方向の移動が規制される。これにより、蓋ユニット１０が炊飯ユニット２０に対して固定され、電気炊飯器１００は図１に示すように蓋ユニット１０と炊飯ユニット２０とで略箱形の形状となる。なお、蓋ユニット１０を閉じたときに蓋ユニット１０と炊飯ユニット２０との間に隙間ができないように、係止爪２３と係合部１５の寸法を設定する。
【００２４】
なお、図示しないが、係止爪２３が係合部１５を係止すると、自動的に、あるいは蓋ロック部１４に対して使用者から操作が加えられることにより、係止爪２３と係合部１５との係止状態を固定して両者が相対的に周方向に回転するのを規制する蓋ロック機構が設けられている。この蓋ロック機構により、蓋ユニット１０が誤って開放されるのを抑制することができる。ロック機構により蓋ユニット１０と炊飯ユニット２０とがロックされている状態において、蓋ロック部１４に操作が加えられると、ロック機構によるロックが解除される。また、蓋ユニット１０が閉じられると、後述する内釜２５と蓋ユニット１０との間は、図示しないシール部材により密閉される。
【００２５】
蓋ユニット１０を炊飯ユニット２０から取り外す際には、使用者は、図２に示すように、蓋ユニット１０と炊飯ユニット２０とを相対的に周方向に回転させる。このようにすると、図４（ｃ）に示すように、係止爪２３が係合部１５から離れて切欠部１６と対向する位置に移動する。これにより、蓋ユニット１０と炊飯ユニット２０との固定状態が解除され、蓋ユニット１０を炊飯ユニット２０から取り外すことができるようになる。そして、使用者は、炊飯ユニット２０の外形から径方向に飛び出した蓋ユニット１０の角部分（図２参照）を把持し、蓋ユニット１０を持ち上げることで、炊飯ユニット２０から蓋ユニット１０を取り外すことができる。
【００２６】
従来の炊飯器においては、蓋は炊飯器本体の後部に設けられたヒンジにより上下方向に回動する構成が一般的であり、蓋を開けると炊飯器全体の高さが高くなってしまう。このため、蓋を全開状態にするために炊飯器の設置場所が限定される、また、キッチンのキャビネットに収納して炊飯器を使用する際に蓋が開ききらない、といった課題が生じうる。しかしながら、本実施の形態１によれば、蓋ユニット１０を開けるときの高さが、従来のヒンジを用いたものよりも低いので、炊飯器の設置場所の自由度を高めることができる。また、従来のヒンジを用いた蓋においては、蓋の開放に伴って蓋が高さ方向に傾斜すると、蓋に付着した露が集まって炊飯器の周囲に露ダレが生じやすい。しかし、本実施の形態１によれば、蓋ユニット１０を高さ方向に傾斜させることなく取り外すことができるので、露ダレが生じにくく、露ダレによる使用者の不快感を低減させることができる。また、蓋ユニット１０を炊飯ユニット２０から取り外すことができるので、蓋ユニット１０だけを流し台等に持って行くことで、蓋ユニット１０に付着した露を容易に捨てることができる。
【００２７】
なお、蓋ユニット１０を炊飯ユニット２０に対して固定する際には、使用者は、蓋ユニット１０を取り外すときと逆の操作を行ってもよい。すなわち、まず、係止爪２３が切欠部１６と相対するようにして蓋ユニット１０と炊飯ユニット２０の向きを調整した上で（図２、図４（ｃ）参照）、蓋ユニット１０を炊飯ユニット２０の上に載せ、蓋ユニット１０と炊飯ユニット２０とを相対的に回転させ、係止爪２３に係合部１５を係止させる（図１、図４（ｂ）参照）。このような操作によっても、蓋ユニット１０を炊飯ユニット２０に対して固定することができる。
【００２８】
係止爪２３と係合部１５との係合状態を解除するための回転角度θ１（図４（ｂ）、（ｃ）参照）は、小さすぎると蓋ユニット１０が容易に外れるため誤って取り外されてしまう可能性がある。また、回転させた状態で蓋ユニット１０を持ち上げるときには、炊飯ユニット２０の本体部２１の外形から飛び出す蓋ユニット１０の角部分（図２参照）が使用者の持ち手となるが、回転角度θ１が小さすぎると持ち手となる角部分も小さくなって使用者は蓋ユニット１０を持ち上げにくくなる。一方、回転角度θ１が大きすぎると、蓋ユニット１０を取り外すために使用者が蓋ユニット１０を回転させる動作が大きくなり、操作性の低下が懸念される。このため、回転角度θ１は、蓋ユニット１０を取り外す際の把持のしやすさや開けやすさを考慮して決定するのがよい。例えば、本実施の形態１のように蓋ユニット１０及び炊飯ユニット２０の平面形状が正方形に近いようなものであれば、数値を厳密に規定するものではないが、回転角度θ１は、略１０°〜略６０°程度が好ましい。
【００２９】
なお、本実施の形態１で示した係合部１５及び係止爪２３の具体的形状は図示のものに限定されない。例えば、本実施の形態１の係止爪２３は、先端部が径方向外側に向かって突出する形状であったが、これを径方向内側に向かって突出する形状とし、それに合わせて係合部１５の突出方向も径方向外側に突出する形状としてもよい。また、本実施の形態１の係合部１５及び係止爪２３の平面形状は、概ね弧状であるが、蓋ユニット１０の着脱時の操作性や、固定性能を考慮して、任意の形状を採用することができる。
【００３０】
図５は、実施の形態１に係る電気炊飯器の概略断面図である。なお、図５では、電気炊飯器１００の内部構造を中心に示しており、前述した蓋ユニット１０の着脱に関する構造は図示していない。
炊飯ユニット２０の内釜収容部２４の内部には、米や水等の炊飯物を入れる内釜２５が着脱自在に収容されている。内釜収容部２４の下側であって内釜２５の概ね底部近傍と相対する位置には、内釜２５を加熱する加熱部として誘導加熱コイル２６が設けられている。誘導加熱コイル２６は、電流が流れることにより磁界を発生させ、内釜２５を加熱する。なお、内釜２５を加熱する加熱部は誘導加熱コイルに限定されず、例えばアルミニウムなどの熱伝導率の高い金属で作られた平板の内部に電気ヒーターが埋設されたものなど、電力供給を受けて内釜２５を加熱する任意のものを採用することができる。また、内釜２５を側面から加熱する加熱部をさらに設けてもよい。
【００３１】
炊飯ユニット２０の本体部２１内の底部には、電源ユニット３０から受電するための受電部として、加熱用受電コイル２７が設けられている。また、電源ユニット３０の電源ユニット本体部３１内の上部であって、電源ユニット３０の上に炊飯ユニット２０を載置した状態において加熱用受電コイル２７と対向する位置に、炊飯ユニット２０への給電部としての加熱用給電コイル３４が設けられている。また、電源ユニット３０内には、電源コード３２を介して供給される商用電流を、例えば２０ｋＨｚ以上の高周波電流に変換して加熱用給電コイル３４に供給する回路を含む制御部３３が設けられている。
【００３２】
操作部１３に対して炊飯を実行するための操作入力が行われると、操作部１３から出力された信号が制御部３３に伝達され、炊飯を行うための電流が制御部３３から加熱用給電コイル３４に供給される。加熱用給電コイル３４に電流が供給されることで、加熱用給電コイル３４の周りに磁界が発生し、磁界中にある導線には、ファラデーの法則により誘導起電力が発生する。これにより、加熱用給電コイル３４に近接配置された加熱用受電コイル２７に電流が流れ、加熱用受電コイル２７と電気的に接続されている誘導加熱コイル２６にも電流が流れて、内釜２５が誘導加熱される。なお、加熱用給電コイル３４と加熱用受電コイル２７との間の距離は近い方が送電ロスが少なくなるため、両者を近づけるのが好ましいが、コイルの表面に傷が付くと絶縁不良や感電、ショートにつながりうるため、本体部２１の加熱用受電コイル２７の下側の下面２１２及び電源ユニット本体部３１の加熱用給電コイル３４の上側の上面３１１のそれぞれが、各コイルを覆っている。
【００３３】
本実施の形態１では、高温化を抑制するために冷却が必要な発熱部品、具体的には制御部３３の一部を構成する回路基板及び加熱用給電コイル３４と、加熱用受電コイル２７及び誘導加熱コイル２６とが、それぞれ着脱可能な電源ユニット３０と炊飯ユニット２０とに分かれて収容されている。このように分かれて配置された部品を冷却するために電源ユニット３０と炊飯ユニット２０にそれぞれ異なる冷却ファンを設けることも可能であるが、本実施の形態１では以下に説明するように、１つの冷却ファンにて双方の発熱部品を冷却できるように構成されている。
【００３４】
具体的には、電源ユニット本体部３１の側面（下面でもよい）の一部には吸気口３１３が形成され、電源ユニット本体部３１内には、炊飯ユニット２０が配置されている上方に向かって風を送出するように配置された冷却ファン３５が設けられている。冷却ファン３５の動作により生成される冷却風の風路上に制御部３３が配置あるいは近接するようにして、冷却ファン３５と制御部３３の位置関係が設定されている。また、電源ユニット本体部３１の上面３１１には、冷却ファン３５の冷却風の送出側に相対する排気口３１４が形成され、この排気口３１４に相対する本体部２１の下面２１２には吸気口２１３が形成されている。本体部２１と電源ユニット本体部３１は、排気口３１４と吸気口２１３を介して連通している。また、炊飯ユニット２０の側面には、排気口２１４が形成されている。
【００３５】
このような構成において、制御部３３に制御されて冷却ファン３５が動作すると、吸気口３１３から電源ユニット本体部３１内に外部の空気が吸い込まれる。電源ユニット本体部３１内に入った空気は、冷却ファン３５により冷却風として送出され、この過程において制御部３３の回路部品や加熱用給電コイル３４が冷却される。また冷却風は、排気口３１４、吸気口２１３を介して本体部２１内に進入し、加熱用受電コイル２７や誘導加熱コイル２６の近傍を通過しながらこれらを冷却する。その後冷却風は、排気口２１４から外部へと排気される。このように本実施の形態１では、電源ユニット３０に設けられた冷却ファン３５のみにより、電源ユニット３０と炊飯ユニット２０内の発熱部品を冷却することができる。
【００３６】
また、冷却ファン３５は通常は直流電流または商用電流により駆動されるのに対して、誘導加熱コイル２６は高周波電流により駆動されるのが一般的である。したがって、冷却ファン３５と誘導加熱コイル２６とでは周波数や電圧が異なり、炊飯ユニット２０に冷却ファンを別途設けるとすると、誘導加熱コイル２６へ給電するための加熱用給電コイル３４と加熱用受電コイル２７の他に、冷却ファン用の電源供給部が必要となってしまう。しかし、本実施の形態１のように構成することで、冷却ファン用の専用の電源供給部が不要となり、部品点数を抑制できる。
【００３７】
また、電気炊飯器１００には、炊飯ユニット２０と電源ユニット３０とを固定するための機構として、本体ロック機構が設けられている。本実施の形態１では、本体部２１の対向する側面に回動可能に軸部２２１により軸支された鉤状の本体ロック部２２の先端の係止部を、電源ユニット本体部３１に形成されたロック用凹部３１５に係止させる構成である。本体ロック部２２は、バネや材料の弾性特性により係止する方向に付勢されており、使用者が本体ロック部２２の軸部２２１の上部を押して図５に破線で示すように本体ロック部２２を内側に傾倒させることで、本体ロック部２２がロック用凹部３１５から外れ、炊飯ユニット２０と電源ユニット３０を分離させることができる。電源ユニット３０から取り外した炊飯ユニット２０を食卓等に載置する際には、炊飯ユニット２０の底面が食卓等への載置面となるが、本体ロック部２２を炊飯ユニット２０の底面から下に突出しないように倒伏させることで、炊飯ユニット２０を載置する際に本体ロック部２２が邪魔になることもない。
【００３８】
なお、本実施の形態１で示した本体ロック部２２に相当する構成を電源ユニット３０に設け、ロック用凹部３１５に相当する構成を炊飯ユニット２０に設けてもよい。本体ロック機構の具体的な形状や数は図示のものに限定されず、任意の具体的構成を採用することができる。
【００３９】
次に、蓋ユニット１０に設けられた表示部１２、操作部１３、及び蓋ヒーター１７に電力を供給するための構成と、表示部１２及び操作部１３と制御部３３とが信号の授受を行うための構成について説明する。
図６は、実施の形態１に係る電気炊飯器を分解した状態を示す概略斜視図である。図６に示すように、表示部１２と操作部１３が動作を行うための電力を供給するとともに表示部１２及び操作部１３が制御部３３と信号の伝送を行うための構成として、第一コイル１８１、第二コイル２８１、第三コイル２９１、及び第四コイル３７１が設けられている。第一コイル１８１は、蓋ユニット１０内の下面１１１に近接した位置に設けられ、第二コイル２８１は、炊飯ユニット２０内の上面２１１に近接した位置であって蓋ユニット１０が閉じられた状態において第一コイル１８１と対向する位置に設けられている。また、第三コイル２９１は、炊飯ユニット２０内の下面２１２に近接した位置に設けられ、第四コイル３７１は、電源ユニット３０内の上面３１１に近接した位置であって炊飯ユニット２０が電源ユニット３０に取り付けられた状態において第三コイル２９１と対向する位置に設けられている。
【００４０】
第一コイル１８１は表示部１２及び操作部１３と電気的に接続され、第二コイル２８１は第三コイル２９１と電気的に接続され、第四コイル３７１は制御部３３と電気的に接続されている。第一コイル１８１と第二コイル２８１、及び第三コイル２９１と第四コイル３７１との間では、電磁誘導による非接触の給電が可能であり、第一コイル１８１と第三コイル２９１が受電コイルとして機能し、第二コイル２８１及び第四コイル３７１が給電コイルとして機能する。第一コイル１８１、第二コイル２８１、第三コイル２９１、及び第四コイル３７１を介して供給された電力は、蓋ユニット１０に設けられた図示しない蓄電装置に蓄えられ、炊飯ユニット２０及び蓋ユニット１０が電源ユニット３０から取り外されている状態においては、この蓄電装置に蓄えられた電力により表示部１２は時刻表示等の表示を行うことができる。
【００４１】
また、第一コイル１８１と第二コイル２８１、及び第三コイル２９１と第四コイル３７１との間では、電磁誘導による非接触の通信が可能である。
制御部３３が、表示部１２に表示制御信号を送信する場合、制御部３３は、表示制御信号に応じて第四コイル３７１に流す電流を制御する。第四コイル３７１に電流が流れることで、第三コイル２９１に電磁誘導による電流が流れ、第三コイル２９１に接続された第二コイル２８１にも電流が流れる。さらに、第二コイル２８１に電流が流れることで、第一コイル１８１に電磁誘導による電流が流れ、第一コイル１８１に接続された表示部１２は、その電流から表示制御信号の成分を取り出し、取り出した情報に基づいて表示動作を行う。
また、操作部１３が、制御部３３に操作信号を送信する場合、操作部１３は、操作信号に応じて第一コイル１８１に流す電流を制御する。第一コイル１８１に電流が流れることで、第二コイル２８１に電磁誘導による電流が流れ、第二コイル２８１に接続された第三コイル２９１にも電流が流れる。さらに、第三コイル２９１に電流が流れることで、第四コイル３７１に電磁誘導による電流が流れ、第四コイル３７１に接続された制御部３３にも電流が流れる。制御部３３は、その電流から操作信号の成分を取り出し、取り出した情報に基づいて電気炊飯器１００の動作制御を行う。
【００４２】
また、これら操作表示部用のコイルと同様の配置により、蓋ユニット１０には蓋ヒーター用の第一コイル１８２が設けられ、炊飯ユニット２０には蓋ヒーター用の第二コイル２８２及び蓋ヒーター用の第三コイル２９２が設けられ、電源ユニット３０には蓋ヒーター用の第四コイル３７２が設けられている。蓋ヒーター１７は蓋ヒーター用の第一コイル１８２に接続され、制御部３３は蓋ヒーター用の第四コイル３７２に接続されており、蓋ヒーター１７への電源はこれら蓋ヒーター用の第四コイル３７２、蓋ヒーター用の第三コイル２９２、蓋ヒーター用の第二コイル２８２、及び蓋ヒーター用の第一コイル１８２を介して供給される。
【００４３】
このようにすることで、外部に露出する信号線や電力供給線を設けることなく、電源ユニット３０から蓋ユニット１０に電力供給を行ったり、電源ユニット３０内の制御部３３と蓋ユニット１０に設けられた表示部１２や操作部１３との間で信号の伝送を行ったりすることができる。したがって、蓋ユニット１０、炊飯ユニット２０、及び電源ユニット３０を取り外した際に、配線が邪魔になることがなく、取り扱いやすい。
【００４４】
図７は、実施の形態１に係る電源ユニットのコードリール部を説明する図である。図７は、図示の関係上、電源ユニット３０のうちコードリール部３６に関連する構成を中心に示しており、加熱用給電コイル３４等の一部の構成については図示を省略している。図７に示すように、コードリール部３６は、内部に制御部３３や冷却ファン３５等の部材を収容する円筒部３６１と、円筒部３６１の径方向外側に設けられた巻きバネ３６２と、巻きバネ３６２の径方向外側に設けられたコード収納部３６３とを備える。コード収納部３６３は水平方向に回転可能に構成されており、コード収納部３６３の凹みに、電源コード３２が巻き付けられている。
【００４５】
このコード収納部３６３は、巻きバネ３６２によって電源コード３２を巻き取る方向に付勢されており、電源コード３２を使用しない際には電源コード３２はコード収納部３６３に巻き取られて電源ユニット３０内に収納される。このため、電源コード３２を使用していない場合、すなわち炊飯を行っていない場合には、電源コード３２が外側へはみ出すことがなく、見栄えを良くすることができる。また、電気炊飯器１００全体や電源ユニット３０を持ち運ぶ際にも、電源ユニット３０から電源コード３２が垂れ下がらないので取り扱いが容易となり、使い勝手を向上させることができる。
【００４６】
以上のように本実施の形態１の電気炊飯器１００は、蓋ユニット１０、炊飯ユニット２０、及び電源ユニット３０をそれぞれ着脱可能な構成とした。炊飯ユニット２０と蓋ユニット１０、及び炊飯ユニット２０と電源ユニット３０を、それぞれ着脱自在に構成したので、炊飯が終了すると炊飯ユニット２０のみ、あるいは炊飯ユニット２０と蓋ユニット１０とを他のユニットから取り外すことで、炊飯物の入った内釜２５が収容された炊飯ユニット２０が軽量化され、使用者は炊飯物を容易に持ち運ぶことができる。
【００４７】
また、本実施の形態１では、蓋ユニット１０と炊飯ユニット２０とを相対的に周方向に回転させることで、蓋ユニット１０を炊飯ユニット２０から取り外すことができる。このため、蓋ユニット１０を開けるときの電気炊飯器１００全体の高さを、従来の炊飯器の後部に取り付けられたヒンジを用いて開閉する蓋を備えた炊飯器よりも低くすることができ、電気炊飯器１００の設置場所の自由度を高めることができる。また、蓋ユニット１０を高さ方向に傾斜させることなく取り外すことができるので、露ダレが生じにくく、露ダレによる使用者の不快感を低減させることができる。
【００４８】
また、本実施の形態１では、蓋ユニット１０を炊飯ユニット２０に対して上から押し付けることで、蓋ユニット１０を炊飯ユニット２０に対して固定することのできる係合部１５と係止爪２３とを備えた。このため、蓋ユニット１０の取り付けが容易であり、使い勝手がよい。
【００４９】
また、蓋ユニット１０、炊飯ユニット２０、及び電源ユニット３０を組み合わせた状態において、略直方体となるように構成し、側面を同一面とした。このため、外形がすっきりして見栄えのよいデザイン性に優れた電気炊飯器１００を得ることができる。
【００５０】
また、電源ユニット３０に電源コード３２を設け、電源コード３２を介して供給された電力をコイルを用いて内釜２５の加熱部（誘導加熱コイル２６）に送電するようにし、蓋ユニット１０及び炊飯ユニット２０からは電源コードや配線等の部品が突出しない構成とした。このため、蓋ユニット１０及び炊飯ユニット２０を持ち運ぶ際に、電源コード等が邪魔になることがなく、取り扱いが容易である。
【００５１】
また、蓋ユニット１０に設けた表示部１２、操作部１３、及び蓋ヒーター１７へは、蓋ユニット１０、炊飯ユニット２０、及び電源ユニット３０の対向する位置にそれぞれ設けたコイルを介して電力を供給するようにした。また、表示部１２及び操作部１３と制御部３３との間の信号の授受も、このコイルを用いて行うようにした。このため、外部に露出する電力供給線や信号線を設けることなく、炊飯ユニット２０に対して着脱可能な蓋ユニット１０に対して電力供給や信号の授受を行うことができる。したがって、蓋ユニット１０、炊飯ユニット２０、及び電源ユニット３０を取り外した際に、配線が邪魔になることがなく、取り扱い性を向上させることができる。
【００５２】
実施の形態２．
前述の実施の形態１では、蓋ユニット１０と炊飯ユニット２０とを相対的に周方向に回転させることで、蓋ユニット１０を取り外すことのできる構成を説明した。本実施の形態２では、蓋ユニット１０の他の開閉構造を説明する。なお、本実施の形態２では、実施の形態１との相違点を中心に説明し、実施の形態１と同様の構成については同一の符号を付す。
【００５３】
図８は、実施の形態２に係る電気炊飯器の概観斜視図である。本実施の形態２の電気炊飯器１００Ａは、蓋ユニット１０を炊飯ユニット２０に対して開閉可能に支持するための構成として、電気炊飯器１００Ａの対向する左右側面にそれぞれ設けられた一対の蓋支持部４０を備えている。実施の形態１で示した係合部１５及び係止爪２３は、本実施の形態２の電気炊飯器１００Ａには設けられていない。
【００５４】
図９は、実施の形態２に係る電気炊飯器の蓋ユニットの開閉動作を説明する概略側面図である。図９（ａ）は本実施の形態２に係る電気炊飯器１００Ａ、図９（ｂ）は蓋部７０がヒンジ７２を介して炊飯ユニット７１の上面開口を開閉する従来の炊飯器を比較のために示したものである。図９（ａ）に示すように、蓋支持部４０は、アーム４０１と、本体部２１の側面に設けられアーム４０１の一方の端部を支持する回動軸４０２と、アーム４０１のもう一方の端部を蓋本体部１１の側面に取り付ける取付部４０３とを備える。本実施の形態２では、回動軸４０２は、蓋本体部１１の奥行き方向の略中央よりも後方側（図９の紙面右側）であって本体部２１の高さ方向略中央位置に設けられ、取付部４０３は、回動軸４０２よりも前面寄りに設けられている。
【００５５】
アーム４０１、回動軸４０２、及び取付部４０３は、中空状であり、その中空部には、蓋ユニット１０に設けられた表示部１２、操作部１３、及び蓋ヒーター１７に電力を供給するためのリード線、表示部１２及び操作部１３と制御部３３との間で信号の伝送を行うための信号線が通っている。なお、このリード線と信号線とを配線４１と称して図９に図示する。
【００５６】
アーム４０１は、回動軸４０２を中心にして本体部２１の側面に沿って前後方向に回動し、このアーム４０１の回動に伴って蓋ユニット１０が移動して炊飯ユニット２０の上面開口を開閉する。蓋ユニット１０が炊飯ユニット２０の上面開口を覆っている状態においては蓋ユニット１０の前後方向は略水平となり、炊飯ユニット２０の背面側に向かって回動して全開位置になると、蓋ユニット１０の前後方向が略鉛直に向くようにして、アーム４０１の長軸方向と蓋ユニット１０の前後方向との成す角度θ２が設定されている。全開位置において蓋ユニット１０は炊飯ユニット２０の後方に移動するので、使用者が炊飯ユニット２０から米飯を取り出したり内釜２５を着脱したりする際に蓋ユニット１０が邪魔になることもない。
【００５７】
図９（ａ）、（ｂ）では、比較のために炊飯ユニット２０と炊飯ユニット７１の上面高さを揃えた状態で図示している。図９（ｂ）に示すように従来の炊飯器は蓋部７０を全開状態にする過程において蓋部７０が炊飯ユニット７１の上に直立するのに対し、図９（ａ）に示すように本実施の形態２の電気炊飯器１００Ａは、蓋ユニット１０は直立することなく炊飯ユニット２０の上を通過し、全開状態となったときに炊飯ユニット２０の背面において直立する。このように、本実施の形態２の電気炊飯器１００Ａは、蓋ユニット１０が開閉されるときに蓋ユニット１０の手前側の端部が描く軌跡の高さを、従来の炊飯器と比べて低くすることができる。蓋ユニット１０を開閉するときの電気炊飯器１００Ａの全高を低くすることができるので、従来の炊飯器と比べて上下方向に狭い場所に電気炊飯器１００Ａを設置することができ、設置場所の自由度を高めることができる。
【００５８】
また、炊飯ユニット２０の本体部２１の背面には、蓋ユニット１０から落ちる露を受けるための露受部４２が、後方に向かって突出している。露受部４２は、上面を開口した皿状あるいは箱状の部材であり、全開状態となって起立したときの蓋ユニット１０の下方に設けられている。本実施の形態２の露受部４２は、その内部に蓋ユニット１０の一部を収容するようになっている。蓋ユニット１０が全開位置まで移動すると、蓋ユニット１０の端部が露受部４２に当接して、蓋ユニット１０のそれ以上の回動が阻止される。また、本実施の形態２の露受部４２は、本体部２１の背面に設けられており、炊飯ユニット２０が電源ユニット３０から取り外された状態においても蓋ユニット１０から落ちる露を受けることができる。
【００５９】
なお、露受部４２は、炊飯ユニット２０に対して固定されたものであってもよいが、炊飯ユニット２０から突出自在に構成してもよい。例えば、炊飯ユニット２０内に、露受部４２を収納する収納空間を設けるとともに、この収納空間内から使用者が露受部４２を引き出すことができるように構成してもよい。このようにすることで、使用者は露受部４２を使用するときのみ露受部４２を炊飯ユニット２０から突出させることができ、露受部４２を使用しないときには露受部４２が邪魔にならない。また、露受部４２を炊飯ユニット２０に対して着脱自在に設け、必要な場合にのみ使用者が露受部４２を取り付けることができるようにしてもよい。
【００６０】
次に、蓋ユニット１０の開閉動作に伴って露受部４２が炊飯ユニット２０に収納、突出する可動構造の一例を説明する。
図１０は、実施の形態２に係る電気炊飯器の露受部の可動構造の一例を説明する図である。図１０に示す例では、本体部２１の内部には、回動軸４０２を中心として回動するアーム４０１の動きに伴って回転する第一歯車４３が設けられている。また、本体部２１の内部には、この第一歯車４３の外周面と当接して第一歯車４３の回転力を受ける第二歯車４４が設けられている。また、本体部２１の底部近傍には、露受部４２を収納する収納空間が設けられている。露受部４２と第二歯車４４との間には、第二歯車４４の回転運動を受けて前後方向に移動する図示しないラックが介在している。
【００６１】
蓋ユニット１０が開放されると、アーム４０１の回動に伴って第一歯車４３が右回りに回転し、第一歯車４３の回転を受けて第二歯車４４が第一歯車４３とは反対方向に回転し、第二歯車４４の回転を受けて後方に移動するラックを介して露受部４２が後方に突出する。蓋ユニット１０が閉じられるときには、開放されるときと逆の動作により、露受部４２が前方に移動して本体部２１内に収納される。このように図１０の例では蓋ユニット１０の開閉動作と連動して露受部４２が本体部２１から露出、収納されるので、蓋ユニット１０の傾斜に伴って蓋ユニット１０から落下する露を露受部４２にて受けることができる。また、蓋ユニット１０が閉じられているときには露受部４２は本体部２１内に収納されているので、露受部４２が邪魔にならず、また外観もよい。
【００６２】
なお、図１０の例では、アーム４０１の回転運動を直線運動として露受部４２に伝達して露受部４２がスライドする可動構造を示したが、可動構造の具体的構成はこれに限らず、蓋ユニット１０の開閉動作と連動して露受部４２が突出可能な構造であれば他の構造を用いてもよい。
【００６３】
以上のように本実施の形態２の電気炊飯器１００Ａは、蓋ユニット１０に一端が取り付けられたアーム４０１の他端を、炊飯ユニット２０の側面に設けられた回動軸４０２に取り付け、蓋ユニット１０を、アーム４０１を介して回動軸４０２を中心に回動させることで、蓋ユニット１０が炊飯ユニット２０の上面を開閉するようにした。蓋ユニット１０が開け閉めされる際には、蓋ユニット１０は、炊飯ユニット２０の側面に取り付けられた回動軸４０２を中心に回動しつつ変位するので、蓋ユニット１０を開け閉めする途中での電気炊飯器１００Ａの全高を抑えることができる。
【００６４】
また、本実施の形態２では、蓋ユニット１０が開放されたときに蓋ユニット１０の下方に位置し蓋ユニット１０から流れ落ちる露を受ける露受部４２を設けた。このため、蓋ユニット１０に付着した露が、電気炊飯器１００Ａの設置場所に落下するのを抑制して露ダレによる使用者の不快感を抑えることができる。
【００６５】
また、蓋ユニット１０の開閉動作に伴って露受部４２を炊飯ユニット２０から送り出し、あるいは収納可能に構成した。このため、蓋ユニット１０が閉じられているときには露受部４２は炊飯ユニット２０内に収納されて使用者の持ち運びの邪魔になることがない。また、蓋ユニット１０が開放されると、使用者が露受部４２を手動で引き出さなくとも自動的に露受部４２が突出するので、蓋ユニット１０から落下する露を受けることができる。
なお、本実施の形態２では露受部４２を炊飯ユニット２０に設けた例を示したが、露受部４２を電源ユニット３０に設けることもできる。
【００６６】
なお、前述の実施の形態１、２で示した電源ユニット３０を以下のように変形させることもできる。
図１１は、実施の形態１、２に係る電気炊飯器の電源ユニットの変形例を示す概略断面図である。図１１に示す電源ユニット３０Ａの上面には、例えば結晶化ガラスや線膨張係数の低いセラミックで構成された天板部５１が設けられている。また、天板部５１の裏面側には、一対の操作用電極を備え、電源ユニット３０Ａが卓上型の誘導加熱調理器として機能するときに使用者からの操作入力を受ける操作部５２が設けられている。操作部５２の一対の操作用電極は、電極間の静電容量の変化を検出して動作する静電スイッチであり、操作部５２は制御部３３と電気的に接続されていて操作部５２からの出力は制御部３３に入力される。
【００６７】
また、電源ユニット３０Ａの上面及び天板部５１の略中央には、接触式の温度センサを備えた温度検出部５３が設けられている。温度検出部５３は、電源ユニット３０Ａの上面及び天板部５１を貫通した状態で配置され、かつ下方からバネ５４で支持されている。温度検出部５３は、天板部５１の上面から上に突出するようにして、バネ５４によって上方に向かって付勢されている。温度検出部５３からの出力は、制御部３３に入力される。天板部５１の上に鍋等の被加熱物が載置されると、温度検出部５３が被加熱物の底面に接触して被加熱物の温度を検出し、制御部３３は温度検出部５３により検出された温度に基づいて誘導加熱コイル２６に流す高周波電流を制御する。また、電源ユニット３０Ａの上に炊飯ユニット２０が取り付けられている状態においては、温度検出部５３は内釜２５の底面に接触して内釜２５の温度を検出することができる。
【００６８】
このようにすることで、炊飯ユニット２０にて炊飯を行っていないときには、電源ユニット３０Ａを、それ単独で卓上型の誘導加熱調理器として用いることができる。
【００６９】
なお、上記実施の形態１、２では、内釜を加熱する加熱部に供給する電力を外部から受電する受電部として加熱用受電コイルを炊飯ユニットに設け、その加熱用受電コイルに電力供給する給電部として加熱用給電コイルを電源ユニットに設けることを説明した。しかし、受電部と給電部の具体的構成は、そのようなコイルに限定されない。例えば、電源ユニットには、制御部と電気的に接続された送電端子を、電源ユニットの上面に設ける。また、炊飯ユニットには、炊飯ユニットを電源ユニットの上に取り付けた際に送電端子と電気的に接合される位置に、加熱部に電気的に接続された受電端子を設ける。そして、送電端子と受電端子を経由して、加熱部へ電力を供給する。このようにしても、ケーブル配線を用いることなく、電源ユニットから炊飯ユニットの加熱部に電力供給を行うことができるので、炊飯ユニットと電源ユニットとの着脱が容易である。
【符号の説明】
【００７０】
１０  蓋ユニット、１１  蓋本体部、１２  表示部、１３  操作部、１４  蓋ロック部、１５  係合部、１６  切欠部、１７  蓋ヒーター、２０  炊飯ユニット、２１  本体部、２２  本体ロック部、２３  係止爪、２４  内釜収容部、２５  内釜、２６  誘導加熱コイル、２７  加熱用受電コイル、３０  電源ユニット、３０Ａ  電源ユニット、３１  電源ユニット本体部、３２  電源コード、３３  制御部、３４  加熱用給電コイル、３５  冷却ファン、３６  コードリール部、４０  蓋支持部、４１  配線、４２  露受部、４３  第一歯車、４４  第二歯車、５１  天板部、５２  操作部、５３  温度検出部、５４  バネ、７０  蓋部、７１  炊飯ユニット、７２  ヒンジ、１００  電気炊飯器、１００Ａ  電気炊飯器、１１１  下面、１１２  内面、１１３  隙間、１８１  第一コイル、１８２  第一コイル、２１１  上面、２１２  下面、２１３  吸気口、２１４  排気口、２２１  軸部、２８１  第二コイル、２８２  第二コイル、２９１  第三コイル、２９２  第三コイル、３１１  上面、３１３  吸気口、３１４  排気口、３１５  ロック用凹部、３６１  円筒部、３６２  巻きバネ、３６３  コード収納部、３７１  第四コイル、３７２  第四コイル、４０１  アーム、４０２  回動軸、４０３  取付部。
【図１】
2014033904.tif 000003
【図２】
2014033904.tif 000004
【図３】
2014033904.tif 000005
【図４】
2014033904.tif 000006
【図５】
2014033904.tif 000007
【図６】
2014033904.tif 000008
【図７】
2014033904.tif 000009
【図８】
2014033904.tif 000010
【図９】
2014033904.tif 000011
【図１０】
2014033904.tif 000012
【図１１】
2014033904.tif 000013